(57)【要約】【課題】患者が治療椅子に座る時の導入時、洗口時、立位での診療時、寝（倒）状態での診療時のいずれの場合においても、フットレストが効果的に位置するようにした歯科治療椅子を提供する。【解決手段】フットレスト１５はレッグレスト１４の裏側に収納可能となっており、患者導入時は、レッグレスト１４の裏側に収納されており、患者が椅子に座りやすい状態になっている。モータ２１を正逆回転させることにより、ラック２４が矢印Ｂ方向に移動し、それによって、歯車２５が回転され、該歯車２５と一体のシャフト２７及びフットレスト１５が矢印Ａ方向に回転される。フットレスト１５を２７０°回動することにより、洗口時、及び、立位診療時の状態にすることができる。また、１８０°回転することによって、寝状態にすることができる。【選択図】        図１
2004229855.tif 000002
【特許請求の範囲】
【請求項１】
レッグレストに続くフットレストを有し、該フットレストは前記レッグレストの裏側に該レッグレストと並行に収納される位置と、該レッグレストの下端部で２７０°回転されて該レッグレストに対して直角に前方に延長する位置とに選択的に移動可能であることを特徴とする歯科用治療椅子。
【請求項２】
前記フットレストは前記レッグレストの下端部で１８０°回転されて、該レッグレストに対して前方に延長することを特徴とする請求項１に記載の歯科用治療椅子。
【請求項３】
前記レッグレストの裏側にモータと、該モータによって上下動駆動されるラックと、該ラックに係合して回転する歯車とを有し、該歯車によって前記フットレストを回動させることを特徴とする請求項１又は２に記載の歯科用治療椅子。
【発明の詳細な説明】
【０００１】
【発明の属する技術分野】
本発明は、歯科用治療椅子、より詳細には、歯科治療椅子におけるフットレストの改良に関する。
【０００２】
【従来の技術】
図２は、本発明が適用される歯科治療椅子を備えた歯科治療ユニットの一例を説明するための全体構成図で、図中、１０は歯科治療ユニットを示し、該ユニット１０は、治療椅子１，ワークテーブル２，スピットン３，無影灯４，インスツルメントホルダー５，フットスイッチ６，アシスタント用インスツルメントホルダー７等から成り、インスツルメントホルダー５には、歯科治療において使用する種々のインスツルメント８が収納されており、周知のように、歯科治療に当り、患者は椅子１に座り、頭を安頭台１１に固定して治療を受ける。治療中、術者は治療椅子１を上下動，倒起動，傾斜動等させて、患者を治療しやすい姿勢にして治療を行なう。
【０００３】
上述のように、歯科治療においては、治療椅子を起状態（洗口状態）にしたり、倒状態（寝診療状態）にしたりして使用するが、その場合の治療椅子の動作の仕方について、現在、図３から図５に示すような方式が提案されている。
【０００４】
図３に示す例は、起時、フットレスト１５は、図３（Ａ）に示すように、レッグレスト１４の下部において該レッグレスト１４に対して略直角に前方に延長しており、倒時は、これらレッグレスト１４、フットレスト１５が回動して図３（Ｂ）に示す状態になるようになっている。従って、この例の場合、洗口時（起時）、図３（Ｃ）に概略的に示すように、患者は、フットレスト１５に足を乗せた状態で洗口することができる。
【０００５】
図４に示した例は、起時、フットレスト１５は、図４（Ａ）に示すように、レッグレスト１４の中に収納されており、倒時は、図４（Ｂ）に示すように、レッグレスト１４が回動し、フットレスト１５は該レッグレスト１４からスライドして出てくるようになっている。この例の場合、洗口時（起時）、図４（Ｃ）に概略的に示すように、フットレスト１５はレッグレスト１４の中に収納されているので、患者はフットレスト１５に足を乗せることができない。
【０００６】
図５に示した例は、起時、フットレスト１５は、図５（Ａ）に示すように、レッグレスト１４の裏側に収納されており、倒時は、これらが回動して（フットレスト１５は１８０°回動して）、図５（Ｂ）に示すようになる。この例の場合、洗口時（起時）、フットレスト１５はレッグレスト１４の裏側に収納されているので、患者はフットレスト１５に足を乗せることができない（フットレスト１５は、実線に示す起時の状態と、点線にて示す倒時の状態との間で１８０°回動される）。
【０００７】
図３〜図５に示した歯科治療椅子について、患者が椅子に座る時の導入時（図６）、洗口時（図７）、立位での診療時（図８）、寝位での診療時（図９）の各状態におけるフットレスト１５の得失についてみると以下のようになる。
【０００８】
図６は、患者が治療椅子１に座る時の導入時の様子を示す概略図で、この場合、フットレスト１５は無い方が椅子に乗りやすい。従って、この場合、図３に示した例は不可、図４、図５に示した例は可である。
【０００９】
図７は、洗口時の状態を示す概略図で、この場合は、フットレスト１５があった方が安全である。うがい（洗口）は、うがいを楽にさせるために、体の前でやる様になっている。そうすると、図７に示すように、前傾姿勢をとらなければならないが、その場合に、フットレスト１５がないと足でふんばることができず、不安定となり危険である。従って、この場合は、図３に示した例は可、図４、図５に示した例は不可となる。
【００１０】
図８は、術者が立位で対面診療する時の状態を示す概略図で、この場合は、フットレスト１５があった方が、フットレスト１５に足を乗せることにより下半身を支えることができ、大腿部の裏側が圧迫されないので、患者にはよい。もし、フットレスト１５が無いとすれば、患者の大腿部の裏側が下半身の重みで圧迫され、長時間の診療では不快感や痺れを生じることがある。従って、この場合は、図３に示した例は可、図４、図５に示した例は不可となる。
【００１１】
図９は、患者を寝状態にして診療する時の状態を示す概略図で、この場合は、フットレスト１５があると、このフットレスト１５に患者の足（フット）を乗せることができ、患者は、楽な姿勢で治療を受けることができる。従って、この場合は、図３〜図５に示した全ての例が可である。
【００１２】
上述のように、現在、歯科治療椅子におけるフットレストの動作について３つの例が提示されているが、そのいずれも前述の４つの使用状態全てを満足するものは提案されていない。なお、表１に、前記３つの例及び本発明についての可、不可を○、×にて示した。
【００１３】
【表１】
2004229855.tif 000003
【００１４】
【発明が解決しようとする課題】
上述のように、従来の歯科治療椅子においては、いずれも、フットレストの作用勝手が不十分で、全ての使用形態に対して満足できるものはなかった。
【００１５】
本発明は、上述のごとき実情に鑑みてなされたもので、（１）患者が治療椅子に座る時の導入時、（２）洗口時、（３）立位での診療時、（４）寝（倒）状態での診療時のいずれの場合においても、フットレストが効果的に位置するようにした歯科治療椅子を提供することを目的としてなされたものである。
【００１６】
【課題を解決するための手段】
請求項１の発明は、レッグレストに続くフットレストを有し、該フットレストは前記レッグレストの裏側に該レッグレストと並行に収納される位置と、該レッグレストの下端部で２７０°回転されて該レッグレストに対して直角に前方に延長する位置とに選択的に移動可能であることを特徴としたものである。
【００１７】
請求項２の発明は、請求項１の発明において、前記フットレストは前記レッグレストの下端部で１８０°回転されて、該レッグレストに対して前方に延長することを特徴としたものである。
【００１８】
請求項３の発明は、請求項１又は２の発明において、前記レッグレストの裏側にモータと、該モータによって上下動駆動されるラックと、該ラックに係合して回転する歯車とを有し、該歯車によって前記フットレストを回動させることを特徴としたものである。
【００１９】
【発明の実施の形態】
図１は、本発明による歯科治療椅子の一実施例を説明するための要部概略斜視図で、図中、１４はレッグレスト、１５はフットレストで、これらは、レッグレスト１４及びフットレスト１５以外は、図２乃至図９にて示した従来技術と同様に動作するので、それらについての説明は省略する。而して、本発明においては、フットレスト１５はレッグレスト１４の裏側に収納可能となっており、患者導入時は、図５（Ａ）に示すように、レッグレスト１４の裏側に収納されており、これにより、図６に示した状態とすることができ、患者が椅子に座りやすい状態になっている。本発明においては、フットレスト１５は矢印Ａ方向に２７０°回動可能に取り付けられており、これにより、図７、図８に示した状態にすることが可能となり、これにより、図７に示した洗口時、及び、図８に示した立位診療時の状態にすることができる。また、図１に示した状態から矢印Ａ方向に１８０°回転することによって、図９に示した寝（倒）状態にすることも可能で、これにより、図６から図９に示した全ての状態に対応することができる。
【００２０】
フットレスト１５を前述のように動作させるために、レッグレスト１４の裏側には、モータ２１、該モータ２１によって回動されるネジ棒２２、該ネジ棒２２に螺合され、該ネジ棒２２の回転により上下動（矢印Ｂ方向の移動）する移動ブロック２３、該移動ブロック２３に固定され、該移動ブロック２３と共に上下動するラック２４、及び、該ラック２４に係合して回転する歯車２５等を有し、該歯車２５によって、フットレスト１５をネジ２６等により一体的に固定したシャフト２７を回転するようになっている。なお、歯車２５はシャフト２７に固定されている。
【００２１】
従って、モータ２１を正逆回転させることにより、ラック２４が矢印Ｂ方向に移動し、それによって、歯車２５が回転され、該歯車２５と一体のシャフト２７及びフットレスト１５が矢印Ａ方向に回転される。このフットレスト１５の回転角は、前述のように、２７０°であり、２７０°回転させることにより、図６に示す状態から、図７、図８に示す状態にすることができ、また、１８０°回転させることにより、図９に示した状態にすることができる。
【発明の効果】
以上の説明から明らかなように、本発明によると、フットレストをレッグレストの裏側に収納しておくことにより、患者が椅子に座る時の出入を容易にすることができ、また、フットレストを収納状態から１８０°回転させることにより寝（倒）状態での治療を容易にすることができ、更には、２７０°回転させることにより、洗口や立位での診療を容易に行うことができる。換言すれば、全ての使用状態において、患者に最適に対応することのできる歯科治療椅子を提供することができる。
【図面の簡単な説明】
【図１】本発明による歯科治療椅子の一実施例を説明するための要部概略斜視図である。
【図２】本発明が適用される歯科治療椅子を備えた歯科治療ユニットの一例を示す図である。
【図３】現在、提案されている歯科治療椅子の一例を説明するための要部概略構成図である。
【図４】現在、提案されている歯科治療椅子の他の例を説明するための要部概略構成図である。
【図５】現在、提案されている歯科治療椅子の更に他の例を説明するための要部概略構成図である。
【図６】患者が歯科治療椅子に座る時の、該歯科治療椅子の良好な場合（フットレストが無い場合）の状態を示す図である。
【図７】患者が洗口する時の、歯科治療椅子の良好な場合の状態（フットレストに患者の足を乗せることができる状態）を示す図である。
【図８】術者が立位で対面診療する時の、歯科治療椅子の良好の場合の状態（フットレストに患者の足を乗せることができる状態）を示す図である。
【図９】患者が寝状態で診療を受ける時の、歯科治療椅子の良好の場合の状態（患者がフットレストに踵を乗せることができる状態）を示す図である。
【符号の説明】
１…歯科治療椅子、１１…安頭台、１２…バックレスト、１３…コンターシート、１４…レッグレスト、１５…フットレスト、２１…モータ、２２…ネジ棒、２３…移動ブロック、２４…ラック、２５…歯車、２６…ネジ、２７…シャフト。
【図１】
2004229855.tif 000004
【図２】
2004229855.tif 000005
【図３】
2004229855.tif 000006
【図４】
2004229855.tif 000007
【図５】
2004229855.tif 000008
【図６】
2004229855.tif 000009
【図７】
2004229855.tif 000010
【図８】
2004229855.tif 000011
【図９】
2004229855.tif 000012